(57)【要約】      （修正有）【課題】羽根を一定の角度ずつ旋回させるための角度規制手段を操作することが容易な蝶番。【解決手段】蝶番１Ａが第１羽根に形成された第１スリーブ１３Ａと、第２羽根に形成された第２スリーブ１４Ａと、これら第１、第２スリーブ１３Ａ，１４Ａに通したピン１６Ａとを含む。第２スリーブ１４Ａは、第３端４１Ａと第４端４２Ａとを有し、第３端４１Ａを第１スリーブ１３Ａに対して第１スリーブ１３Ａの第２端３２Ａから進入させて、回転可能かつ抜脱不能な状態にする。ピン１６Ａは、中間部分６３Ａが第２スリーブ１４Ａに対して回転不能かつ長さ方向へ摺動可能な状態で挿入され、前方部分６１Ａが中間部分６３Ａから延びて第１スリーブ１３Ａの外側にまで達しており、後方部分６２Ａが中間部分６３Ａから第２スリーブ１４Ａの外側に向かって延びている。ピン１６Ａは、第２スリーブ１４Ａの第４端４２Ａから第３端４１Ａへ向かう方向へばね付勢される。【選択図】図２
2008169673.tif 000002
【特許請求の範囲】
【請求項１】
第１羽根と第２羽根とを含み、前記第１羽根に形成された第１スリーブと前記第２羽根に形成された第２スリーブとを縦列させてこれら両スリーブに通したピンを介して前記第１羽根と前記第２羽根とを一定の角度ずつ複数回にわたって旋回させることが可能な蝶番であって、
前記第１スリーブが互いに反対端を成す第１端と第２端とを有し、
前記第２スリーブは、互いに反対端を成す第３端と第４端とを有していて、前記第３端とその近傍が前記第１スリーブに対して前記第２端から進入して前記第１端の手前側にまで延びる一方、前記第４端とその近傍が前記第１スリーブに対して前記第２端の外側に位置しており、前記第１スリーブに進入している前記第３端とその近傍は前記第１スリーブの周方向へ回転可能かつその長さ方向へ抜脱不能な状態にあり、
前記ピンは、前記第２スリーブの前記第４端から前記第３端に向かう方向へのばね付勢下にあるものであって前方部分と後方部分とこれら両部分間に介在する中間部分とを有しており、前記中間部分は前記第２スリーブに対してその周方向へ回転不能かつその長さ方向へ摺動可能な状態で挿入されており、前記前方部分は前記中間部分から延びて前記第１スリーブを通り前記第１スリーブの前記第１端の外側にまで達しており、前記後方部分は前記第２スリーブの前記第４端近傍において前記中間部分から前記第４端の外側に向かって延びており、
前記第１スリーブと前記ピンとの間では、前記第１羽根と前記第２羽根との前記複数回にわたっての旋回が可能となるように、前記第１スリーブにおける前記第１端近傍の内側に形成された第１角度規制手段に対して、前記ピンに形成された第２角度規制手段が前記ばね付勢下に前記ピンの長さ方向から離脱可能に係合していることを特徴とする前記蝶番。
【請求項２】
前記第１スリーブにおける前記第１端の外側において、前記ピンの前記前方部分を前記第１端から前記第２端へ向かって押圧すると、前記第２角度規制手段が前記ばね不勢に抗して前記第１角度規制手段から離脱して、前記第１羽根と前記第２羽根との前記ピンを軸とする自由な旋回が可能になる請求項１記載の蝶番。
【請求項３】
前記第１角度規制手段が前記第１スリーブの内周面に形成された環状のギアであり、前記第２角度規制手段が前記ピンの周面に形成されていて前記環状のギアに対して離脱可能に噛み合っているギアである請求項１または２記載の蝶番。
【請求項４】
前記第１羽根と前記第２羽根とを前記複数回にわたって旋回させるために、前記第２スリーブの内周面には第３角度規制手段が形成され、前記ピンの前記後方部分には前記第３角度規制手段に対して前記ばね付勢下に離脱可能に係合する第４角度規制手段が形成されており、これら第３、第４角度規制手段による前記第１羽根と前記第２羽根との旋回角度の規制が前記第１、第２角度規制手段による旋回角度の規制と同期している請求項１〜３のいずれかに記載の蝶番。
【請求項５】
前記蝶番は、これを第１蝶番として、前記第１蝶番と同一の第２蝶番が前記第１蝶番と対を成して前記第１蝶番における前記ピンの延長上において並んでいて、前記第１蝶番における前記ピンの後方部分と前記第２蝶番における前記ピンの前方部分とが対向しているとともにこれら後方部分と前方部分との間には連結用棒部材が介在し、前記第１蝶番における前記ピンの後方部分は前記棒部材の一端部に対して、前記棒部材の長さ方向から離脱可能に係合しており、前記第２蝶番における前記ピンの前方部分は前記棒部材のもう一方の端部に対して、前記棒部材の長さ方向から離脱可能に係合している請求項１〜４のいずれかに記載の蝶番。
【発明の詳細な説明】
【技術分野】
【０００１】
この発明は、蝶番に関し、より詳しくは羽根を一定の角度ずつ旋回させることが可能な蝶番に関する。
【背景技術】
【０００２】
従来、一対の羽根と、これらの羽根に形成されたスリーブに挿通されるピンとを含み、一対の羽根がそのピンを中心に旋回可能である蝶番は周知である。また、（株）栃木屋が発行した「５２  栃木屋総合カタログ」（非特許文献１）の３−７９頁には、ハンドルストッパーなるものが掲載されている。このハンドルストッパーは、筺体に取り付けられるコの字型のハンドルの両端部または一端部において使用されるもので、互いに噛み合う一対のギアを含んでいる。一対のギアが噛み合っている状態では、ハンドルは筺体に対し固定された状態にあるが、ハンドルストッパーに設けられたばね付勢下にあるカバー部材をそのばね付勢に抗して押圧すると、ギアどうしの噛み合いが解けてハンドルの旋回が自由になる。そこで、ハンドルを所要の角度だけ旋回させてカバー部材から手を離すと、ギアどうしが再び噛み合い、ハンドルを固定することができる。
【非特許文献１】（株）栃木屋発行「５２  栃木屋総合カタログ」
【発明の開示】
【発明が解決しようとする課題】
【０００３】
非特許文献１に記載のハンドルストッパーの機構を蝶番に適用して、蝶番の羽根を一定の角度ずつ旋回させることは可能である。しかし、この機構を一対の蝶番それぞれに適用すると、ギアどうしの噛み合いを解くときに、両手を使ってそれぞれの機構におけるカバー部材を押圧しなければならず、蝶番を旋回させるための手が足りなくなる。それゆえ、両手を使っても蝶番を思うように旋回させることができなくなる。
【０００４】
そこで、この発明は、一対の蝶番それぞれに羽根を一定の角度ずつ旋回させるためのギアを使用しても、そのギアの噛み合いを片手で解くことができる新規な蝶番の提供を課題にしている。
【課題を解決するための手段】
【０００５】
前記課題を解決するために、この発明が対象とするのは、第１羽根と第２羽根とを含み、前記第１、第２羽根それぞれに形成された第１スリーブと第２スリーブとを縦列させてこれら両スリーブに通したピンを介して前記第１羽根と前記第２羽根とを一定の角度ずつ複数回旋回させることが可能な蝶番である。
【０００６】
かかる蝶番において、この発明が特徴とするところは、以下のとおりである。前記第１スリーブが互いに反対端を成す第１端と第２端とを有する。前記第２スリーブは、互いに反対端を成す第３端と第４端とを有していて、前記第３端とその近傍は前記第１スリーブに前記第２端から進入して前記第１端の内側にまで延びる一方、前記第４端とその近傍は前記第１スリーブに進入することなく前記第２端の外側に位置している。前記第１スリーブに進入している前記第３端とその近傍は前記第１スリーブの周方向へ回転可能かつその長さ方向へ抜脱不能な状態にあり、前記ピンは、前記第２スリーブにその周方向へ回転不能な状態であるとともにその長さ方向へ摺動可能かつ抜脱不能な状態で挿入されている中間部分と、前記第２スリーブの前記第３端近傍において前記中間部から延びて前記第１スリーブの前記第１端の外側にまで達する前方部分と、前記第２スリーブの前記第４端近傍において前記中間部分から前記第４端の外側に向かって延びている後方部分とを有している。前記ピンの全体は、前記第２スリーブの前記第４端から前記第３端に向かう方向へばね付勢されており、前記第１スリーブと前記ピンとの間では、前記第１羽根と前記第２羽根とを前記一定の角度ずつ複数回旋回させることが可能となるように、前記第１スリーブにおける前記第１端近傍の内側に形成された第１角度規制手段に対して、前記ピンに形成された第２角度規制手段が前記ばね付勢下に前記ピンの長さ方向から離脱可能に係合している。
【０００７】
この発明の好ましい実施態様の一つにおいて、前記第１スリーブの前記第１端の外側において、前記ピンの前記前方部分を前記第１端から前記第２端へ向かって押圧すると、前記第２角度規制手段が前記ばね不勢に抗して前記第１角度規制手段から離脱して、前記第１羽根と前記第２羽根との前記ピンを軸とする自由な旋回が可能になる。
【０００８】
この発明の好ましい実施態様の他の一つにおいて、前記第１角度規制手段が前記第１スリーブの内周面に形成された環状のギアであり、前記第２角度規制手段が前記ピンの周面に形成されていて前記環状のギアに対して離脱可能に噛み合っているギアである。
【０００９】
この発明の好ましい実施態様の他の一つにおいて、前記第１羽根と前記第２羽根とを前記一定の角度ずつ複数回旋回させるために、前記第２スリーブの内周面には第３角度規制手段が形成され、前記ピンの前記後方部分には前記第３角度規制手段に対して前記ばね付勢下に離脱可能に係合する第４角度規制手段が形成されており、これら第３、第４角度規制手段による前記第１羽根と前記第２羽根との旋回角度の規制が前記第１、第２角度規制手段による旋回角度の規制と同期している。
【００１０】
この発明の好ましい実施態様のさらに他の一つにおいて、前記蝶番は、これを第１蝶番として、前記第１蝶番と同一の第２蝶番が前記第１蝶番と対を成して前記第１蝶番における前記ピンの延長上において並んでいて、前記第１蝶番における前記ピンの後方部分と前記第２蝶番における前記ピンの前方部分とが対向しているとともにこれら後方部分と前方部分との間には連結用棒部材が介在し、前記第１蝶番における前記ピンの後方部分は前記棒部材の一端部に対して、前記棒部材の長さ方向から離脱可能に係合しており、前記第２蝶番における前記ピンの前方部分は前記棒部材のもう一方の端部に対して、前記棒部材の長さ方向から離脱可能に係合している。
【発明の効果】
【００１１】
この発明に係る蝶番は、第１羽根に設けられた第１スリーブと第２羽根に設けられた第２スリーブにピンが挿通され、第１スリーブに形成された第１角度規制手段とピンに形成された第２角度規制手段とを離脱可能に係合させるから、これら両手段によって第１羽根と第２羽根とを一定の角度ずつ複数回にわたって旋回させることができる。
【００１２】
かような蝶番は、それを複数個並べてばね付勢下にあるピンどうしを連結棒によってつなげば、ばね付勢に抗してそのピンを一方の手で押圧するだけで、複数個の蝶番における角度規制手段の係合が外れるから、もう一方の手で羽根が取り付けられている相手方を旋回させることができる。
【発明を実施するための最良の形態】
【００１３】
添付の図面を参照して、この発明に係る蝶番の詳細を説明すると、以下のとおりである。
【００１４】
図１は、蝶番１が使用されているパーソナルコンピュータ用ディスプレイ２の部分破断斜視図である。ディスプレイ２は、液晶パネル部３と台座部４とを有し、これら両部３，４の間には一対の蝶番１が介在し、蝶番１どうしの間には連結棒６が介在している。一対の蝶番１は、同一形状のものであるが、図の左方にあるものには参照符号にＡを付し、図の右方にあるものには参照符号にＢを付して左右のものが区別してある。蝶番１Ａは、第１羽根１１Ａと第２羽根１２Ａとからなる一対の羽根を有し、第１，第２羽根１１Ａ，１２Ａのそれぞれには第１スリーブ１３Ａと第２スリーブ１４Ａ（図２参照）のそれぞれが形成されている。第１，第２スリーブ１３Ａ，１４Ａにはピン１６Ａが挿通されており、そのピン１６Ａの操作端部２１Ａが第１スリーブ１３Ａから延出している。蝶番１Ｂは、蝶番１Ａと同様に、第１羽根１１Ｂ、第２羽根１２Ｂ、第１スリーブ１３Ｂ、第２スリーブ１４Ｂ、ピン１６Ｂおよび操作端部２１Ｂを有する。蝶番１Ａにおける操作端部２１Ａに指を当ててこれを図示の矢印Ｐ方向へ押圧すると、蝶番１Ａと、連結棒６を介して蝶番１Ａにつながる蝶番１Ｂとにおいて、それぞれの第１羽根１１Ａ，１１Ｂと第２羽根１２Ａ，１２Ｂとの自由な旋回が可能になり、パネル部３を双頭矢印Ｑで示す方向へ旋回させて、台座部４に対する液晶パネル部３の傾きを変えることができる。操作端部２１Ａから指を離すと、操作端部２１Ａが元の位置に戻るように矢印Ｐとは逆の方向へ動いて、第１羽根１１Ａ，１１Ｂと第２羽根１２Ａ，１２Ｂとの旋回を止め、パネル部３を一定の角度で傾けておくことができる。
【００１５】
図２は、図１のＩＩ−ＩＩ線矢視図である。蝶番１Ａでは、第１スリーブ１３Ａが操作端部２１Ａ寄りの第１前端３１Ａとその反対端である第１後端３２Ａとを有し、第２スリーブ１４Ａが操作端部２１Ａ寄りの第２前端４１Ａとその反対端である第２後端４２Ａとを有する。第２スリーブ１４Ａは、第２前端４１Ａとその近傍が第１スリーブ１３Ａにその第１後端３２Ａから挿入されていて第１スリーブ１３Ａの周方向へ回転可能な状態にあるとともに、リング部材３３Ａによって第１スリーブ１３Ａからの抜脱が阻止されている。第２スリーブ１４Ａの第２後端４２Ａとその近傍は、第１スリーブ１３Ａの第１後端３２Ａの外側にある。
【００１６】
ピン１６Ａは、前方部分６１Ａと、後方部分６２Ａと、これら両部分６１Ａ，６２Ａ間に介在する中間部分６３Ａとを有している。中間部分６３Ａは円柱状の周面部分６４Ａと、多数のドットを付して示した平坦な周面部分６６Ａとを有し、両部分６４Ａ，６６Ａが第２スリーブ１４Ａの第２前端４１Ａ近傍における内周面６５に密着することによって、中間部分６３Ａは第２スリーブ１４Ａの内周面に対して周方向へは摺動不能で、長さ方向（図の左右方向）へは摺動可能な状態にある。ピン１６Ａの前方部分６１Ａは、中間部分６３Ａから図の左方へ延びていて、第１スリーブ１３Ａを通り、第１スリーブ１３Ａの第１前端３１Ａから延出する部分が操作端部２１Ａを形成している。その前方部分６１Ａは第１スリーブ１３Ａに対して周方向と長さ方向とに対して摺動可能な状態にある。ピン１６Ａの後方部分６２Ａは、中間部分６３Ａから第２スリーブ１４Ａの第２後端４２Ａに向かって延びていて、パイプ状の連結棒６に抜脱可能に挿入されている。ピン１６Ａの前方部分６１Ａと後方部分６２Ａとには、後記する前方ギア６７Ａと後方ギア６８Ａとが形成されている。第２スリーブ１４Ａの第２後端４２Ａには、キャップ６９Ａが嵌められており、そのキャップ６９Ａと後方ギア６８Ａとの間にはコイルスプリング７０Ａが圧縮状態で介在している。
【００１７】
かような状態にある蝶番１Ａでは、ピン１６Ａがコイルスプリング７０Ａによる付勢下にあり、またその付勢下にある前方ギア６７Ａが第１スリーブ１３Ａの内周面に形成された第１ギア７１Ａ（図３参照）と噛み合い、後方ギア６８Ａが第２スリーブ１４Ａの内周面に形成された第２ギア７２Ａ（図３参照）と噛み合うことによって、ピン１６Ａを中心とする第１羽根１１Ａと第２羽根１２Ａとの旋回が阻止されていて、液晶パネル部３は双頭矢印Ｑ（図１参照）へ動くことがない。
【００１８】
図２に示されている蝶番１Ｂは、蝶番１Ａと同一のものであるが、連結棒６は、その前端部６Ａに蝶番１Ａにおけるピン１６Ａの後方部分６２Ａが挿入される一方、後端部６Ｂに蝶番１Ｂにおけるピン１６Ｂの前方部分６１Ｂが挿入されている。
【００１９】
図３は、図２と同様な図であるが、蝶番１Ａにおけるピン１６Ａの操作端部２１Ａに指（図示せず）を当ててピン１６Ａを矢印Ｐ方向へ移動させたときの蝶番１Ａ，１Ｂを示している。ピン１６Ａが矢印Ｐ方向へ移動することに伴い、ピン１６Ａに形成されていた前方ギア６７Ａが第１スリーブ１３Ａに形成されていた環状の第１ギア７１Ａから外れ、ピン１６Ａに形成されていた後方ギア６８Ａがコイルスプリング７０Ａを圧縮しながら第２スリーブ１４Ａに形成されていた環状の第２ギア７２Ａから外れる。その結果として、第１スリーブ１３Ａに挿入されている第２スリーブ１４Ａの第２前端４１Ａとその近傍が第１スリーブ１３Ａの内周面に接しながらその周方向へ自由に回転し、ピン１６Ａもまた第２スリーブ１４Ａと一体になって回転する。矢印Ｐ方向へ移動したピン１６Ａは、連結棒６を介して蝶番１Ｂのピン１６Ｂを矢印Ｐ方向へ移動させる。ピン１６Ｂの移動に伴い、蝶番１Ｂにおいては前方ギア６７Ｂが第１ギア７１Ｂから外れ、後方ギア６８Ｂが第２ギア７２Ｂから外れる。その結果として、第１スリーブ１３Ｂに挿入されている第２スリーブ１４Ｂの第２前端４１Ｂとその近傍が第１スリーブ１３Ｂの内周面に接しながらその周方向へ自由に回転し、ピン１６Ｂもまた第２スリーブ１４Ｂと一体になって回転する。
【００２０】
蝶番１Ａ，１Ｂが図３の状態にあるときのディスプレイ２では、台座部４に対する液晶パネル部３の傾きを好みの角度で固定することができるように、例えば１５度ずつの間隔でその傾きを固定することができるように、前方ギア６７Ａと第１ギア７１Ａおよび後方ギア６８Ａと第２ギア７２Ａとには、１５度刻みで歯を形成することができる。そのような歯を形成した蝶番１Ａ，１Ｂが使用されている液晶パネル部３では、それを時計方向または反時計方向へ所要の角度だけ旋回させてから指を操作端部２１Ａから離すと、その角度の近傍において、蝶番１Ａではコイルスプリング７０Ａの作用によって前方ギア６７Ａと第１ギア７１Ａとが噛み合い、後方ギア６８Ａと第２ギア７２Ａとが噛み合う。これらの噛み合いと同期するように、蝶番１Ｂでは、コイルスプリング７０Ｂの作用によって前方ギア６９Ｂと第１ギア７１Ｂとが噛み合い、後方ギア６８Ｂと第２ギア７２Ｂとが噛み合う。
【００２１】
図４は、図３のＩＶ−ＩＶ線切断面を示す図であるが、ディスプレイ２の図示が省略されている。図において、蝶番１Ａにおける第１スリーブ１３Ａの内周面には、第１ギア７１Ａが形成されている。
【００２２】
図５は、図３のＶ−Ｖ線切断面を示す図４と同様な図である。前方ギア６７Ａは、ピン１６Ａの円柱状の周面部分６４Ａと平坦な周面部分６６Ａとに密着してピン１６Ａと一体になっており、第１スリーブ１３Ａの内周面からは離間している。
【００２３】
図６は、図３のＶＩ−ＶＩ線切断面を示す図４と同様な図である。第２スリーブ１４Ａは、その内周面６５Ａがピン１６Ａの周面部分６４Ａ，６６Ａに密着していて、ピン１６Ａは第２スリーブ１４Ａの長さ方向へ摺動可能で、周方向へは摺動不能な状態にある。その第２スリーブ１４Ａの外周面は、第１スリーブ１３Ａの内周面に対して周方向へ摺動可能に密着している。
【００２４】
このように形成されている蝶番１Ａ，１Ｂのそれぞれは、互いに噛み合うギアの歯を使用することによって一定の角度ずつ複数回にわたって２枚の羽根の旋回角度を変えることができるばかりでなく、連結棒６を使用することによって一対の蝶番１Ａと１Ｂとの動きを同期させ、これら蝶番１Ａ，１Ｂの羽根を同時に旋回させたり、停止させたりすることができる。それゆえ、これら一対の蝶番１Ａ，１Ｂを使用すれば、液晶パネル部３の寸法が大きいとか、重量が大きいという場合でも、液晶パネル部３をその両側部分において正確かつ確実に傾斜させることができる。なお、蝶番１Ａ，１Ｂは、それを堅牢なものにするうえにおいて、前方ギア６７Ａ，６７Ｂと第１ギア７１Ａ，７１Ｂおよび後方ギア６８Ａ，６８Ｂと第２ギア７２Ａ，７２Ｂを使用することが好ましいものであるが、蝶番１Ａ，１Ｂの機構を簡素にしたい場合には、後方ギア６８Ａ，６８Ｂと第２ギア７２Ａ，７２Ｂとを省くことも可能である。
【００２５】
図７は、この発明に係る蝶番１の使用態様の一例を示す図２と同様な図である。図７の態様では、３個の同一の蝶番１Ａ，１Ｂ，１Ｃが２本の連結棒６を介してつながっていて、それぞれの蝶番１Ａ，１Ｂ，１Ｃにおける羽根（図示せず）を液晶パネル部３と台座４とに取り付ける。図において、蝶番１Ａのピン１６Ａを矢印Ｐ方向へ押せば、３個の蝶番１Ａ，１Ｂ，１Ｃが同時に旋回可能になるので、大きな液晶パネル部３でも、その傾きを簡単に変えることができる。このように、この発明に係る蝶番１は、複数個のものを連結棒６でつなぐことによって、一方の手でピン１６Ａを操作し、もう一方で傾斜を変えるべき液晶パネル部３を操作することができる。
【００２６】
この発明において、第１羽根１１Ａと第２羽根１２Ａとの旋回角度、換言すると、第１スリーブ１３Ａに対する第２スリーブ１４Ａの回転角度を何度ずつ変化させるかは、設計者が自由に決めるべき事項である。また、ピン１６Ａを第１スリーブ１３Ａに対して一定の角度ずつ複数回にわたって回転させるための角度規制手段は、図示例のギア、即ち前方ギア６７Ａ、後方ギア６８Ａ、第１ギア７１Ａ、第２ギア７２Ａ等に限らず、適宜の手段に代えることができる。
【産業上の利用可能性】
【００２７】
この発明によれば、複数の蝶番の間で羽根を一定の角度ずつ同時に旋回させることが容易な蝶番の製造が可能になる。
【図面の簡単な説明】
【００２８】
【図１】使用状態にある蝶番を示す図。
【図２】図１のＩＩ−ＩＩ線切断面によって蝶番の構造を示す図。
【図３】ピンの動きを示す図２と同様な図。
【図４】図３のＩＶ−ＩＶ線切断面を示す図。
【図５】図３のＶ−Ｖ線切断面を示す図。
【図６】図３のＶＩ−ＶＩ線切断面を示す図。
【図７】蝶番の使用態様を例示する図２と同様な図。
【符号の説明】
【００２９】
１，１Ａ，１Ｂ，１Ｃ    蝶番
６    連結棒
１１Ａ，１１Ｂ    第１羽根
１２Ａ，１２Ｂ    第２羽根
１３Ａ，１３Ｂ，１３Ｃ    第１スリーブ
１４Ａ，１４Ｂ，１４Ｃ    第２スリーブ
１６Ａ，１６Ｂ    ピン
３１Ａ，３１Ｂ    第１端（第１前端）
３２Ａ，３２Ｂ    第２端（第１後端）
４１Ａ，４１Ｂ    第３端（第２前端）
４２Ａ，４２Ｂ    第４端（第２後端）
６１Ａ，６１Ｂ    前方部分
６２Ａ    後方部分
６３Ａ    中間部分
６７Ａ，６７Ｂ    第２角度規制手段（前方ギア）
６８Ａ，６８Ｂ    第４角度規制手段（後方ギア）
７１Ａ，７１Ｂ    第１角度規制手段（第１ギア）
７２Ａ，７２Ｂ    第３角度規制手段（第２ギア）
【図１】
2008169673.tif 000003
【図２】
2008169673.tif 000004
【図３】
2008169673.tif 000005
【図４】
2008169673.tif 000006
【図５】
2008169673.tif 000007
【図６】
2008169673.tif 000008
【図７】
2008169673.tif 000009